(57)【特許請求の範囲】
【請求項１】
カゴ状法面部材を地盤に設置し、このカゴ状法面部材の内部と背面側とに盛土を投入転圧して第１の土壌層を施工し、この第１の土壌層上部に前記カゴ状法面部材を階段状に設置してカゴ状法面部材の内部と背面側とに盛土を投入転圧することにより第２の土壌層以降を上方に向かって順次に施工して補強土を形成し、前記カゴ状法面部材近傍且つ補強土の所定の土壌層間に法面に対して平行な第１アンカープレートを埋設するとともにこの第１アンカープレートに一端側を連結した抗張部材の他端側を前記補強土の法面から離間する方向に展張し、抗張部材の他端側に第１アンカープレートに対して平行な第２アンカープレートを連結して埋設して前記第１、第２アンカープレート及び抗張部材を他の部材と連結する必要のない構成とし、カゴ状法面部材と、このカゴ状法面部材近傍側に位置し前記補強土の所定の土壌層間のいずれかに埋設した第１アンカープレートと、前記補強土の法面から離間する側に位置し前記補強土の所定の土壌層間のいずれかに埋設した第２アンカープレートと、補強土の所定の土壌層間のいずれかに埋設した第１、第２アンカープレートを連結する抗張部材とによって法面拘束アンカー補強土壁を構築することを特徴とする法面拘束アンカー補強土壁の構築方法。
【発明の詳細な説明】
【０００１】
【発明の属する技術分野】
この発明は法面拘束アンカー補強土壁の構築方法に係り、特に盛土の法面近傍と盛土の深部とに変形追従性に富んだ疑似的な壁面を形成する法面拘束アンカー補強土壁の構築方法に関するものである。
【０００２】
【従来の技術】
従来の補強土壁の構築には、法面部材として法枠材や土嚢を使用して、法面部材の背面側に盛土を投入して急勾配の法面を形成し、法面を草木類により緑化する急勾配の壁面を有する補強壁を構築する工法がある。
【０００３】
【発明が解決しようとする課題】
ところで、従来の補強土壁の構築方法においては、鋼製補強材を、鉄筋コンクリート製の壁材に埋め込んだり、鉄筋コンクリート製の壁材にボルトによって締結する方策が一般的である。
【０００４】
つまり、図３に示す如く、鉄筋コンクリート製の壁材１０９を地盤１０２に設置し、鉄筋コンクリート製の壁材１０９の背面側及び上側に盛土１１２を投入転圧して第１の土壌層Ｌ１を施工し、この第１の土壌層Ｌ１上部に前記鉄筋コンクリート製の壁材１０９を設置して盛土１１２を投入転圧することにより第２の土壌層Ｌ２以降を上方に向かって順次に施工して補強土１０６を形成し、前記鉄筋コンクリート製の壁材１０９にボルト１１１によって鋼製補強材１１３を締結するとともに、この鋼製補強材１１３に一端側を連結した抗張部材１１８の他端側を前記補強土１０６の法面１１４から離間する方向に展張し、抗張部材１１８の他端側に法面１１４に対して平行なアンカープレート１２０を連結して埋設し、鉄筋コンクリート製の壁材１０９と補強土１０６の各土壌層Ｌ間に埋設したアンカープレート１２０及び抗張部材１１８によって補強土壁１１５を構築している。
【０００５】
そしてこのとき、前記アンカープレート１２０に引き抜き抵抗によるすべり線（図示せず）が生じ、このすべり線の発達によって擬似的な壁面が形成される。
【０００６】
しかし、上述した補強土壁においては、地盤に形成した基礎や鋼製補強材、抗張部材を埋設している盛土の沈下が大きくなると、前記鉄筋コンクリート製の壁材と鋼製補強材との変形性状が異なることにより、鉄筋コンクリート製の壁材と鋼製補強材との締結部位に過度の応力が生ずることとなり、実用上不利であるという不都合がある。
【０００７】
また、図３に示す如き垂直な前記鉄筋コンクリート製の壁材１０９の表面は、基本的に植生することが困難であり、景観や自然環境を配慮する必要のある場所には適用できないという不都合がある。
【０００８】
更に、前記鉄筋コンクリート製の壁材の仕上がり鉛直度を一定範囲内にするために、施工時において鉛直度について厳しい管理が必要となるという不都合もある。
【０００９】
従来においては、植生を可能とする方策として、図４に示す如く、法面側に垂直あるいは階段状にカゴ状法面部材２１０を配設し、このカゴ状法面部材２１０に図示しない抗張部材の一端側を連結して補強土壁（図示せず）を構築するものもある。
【００１０】
しかし、カゴ状法面部材を使用して植生を可能としても、地盤に形成した基礎や抗張部材を埋設している盛土の沈下が大きくなって、前記カゴ状法面部材と抗張部材との変形性状が異なると、この変形に追従することができず、カゴ状法面部材と抗張部材との連結部位に過度の応力が生ずるという不都合を解消することができないものである。
【００１１】
【課題を解決するための手段】
そこで、この発明は、上述不都合を除去するために、カゴ状法面部材を地盤に設置し、このカゴ状法面部材の内部と背面側とに盛土を投入転圧して第１の土壌層を施工し、この第１の土壌層上部に前記カゴ状法面部材を階段状に設置してカゴ状法面部材の内部と背面側とに盛土を投入転圧することにより第２の土壌層以降を上方に向かって順次に施工して補強土を形成し、前記カゴ状法面部材近傍且つ補強土の所定の土壌層間に法面に対して平行な第１アンカープレートを埋設するとともにこの第１アンカープレートに一端側を連結した抗張部材の他端側を前記補強土の法面から離間する方向に展張し、抗張部材の他端側に第１アンカープレートに対して平行な第２アンカープレートを連結して埋設して前記第１、第２アンカープレート及び抗張部材を他の部材と連結する必要のない構成とし、カゴ状法面部材と、このカゴ状法面部材近傍側に位置し前記補強土の所定の土壌層間のいずれかに埋設した第１アンカープレートと、前記補強土の法面から離間する側に位置し前記補強土の所定の土壌層間のいずれかに埋設した第２アンカープレートと、補強土の所定の土壌層間のいずれかに埋設した第１、第２アンカープレートを連結する抗張部材とによって法面拘束アンカー補強土壁を構築することを特徴とする。
【００１２】
【発明の実施の形態】
上述の如く発明したことにより、法面拘束アンカー補強土壁の構築に際しては、カゴ状法面部材を地盤に設置し、このカゴ状法面部材の内部と背面側とに盛土を投入転圧して第１の土壌層を施工し、この第１の土壌層上部に前記カゴ状法面部材を階段状に設置してカゴ状法面部材の内部と背面側とに盛土を投入転圧することにより第２の土壌層以降を上方に向かって順次に施工して補強土を形成し、カゴ状法面部材近傍且つ補強土の所定の土壌層間に垂直な第１アンカープレートを埋設するとともに、この第１アンカープレートに一端側を連結した抗張部材の他端側を補強土の法面から離間する方向に展張し、抗張部材の他端側に第１アンカープレートに対して平行な第２アンカープレートを連結して埋設して前記第１、第２アンカープレート及び抗張部材を他の部材と連結する必要のない構成とし、カゴ状法面部材と、このカゴ状法面部材近傍側に位置し前記補強土の所定の土壌層間のいずれかに埋設した第１アンカープレートと、前記補強土の法面から離間する側に位置し前記補強土の所定の土壌層間のいずれかに埋設した第２アンカープレートと、補強土の所定の土壌層間のいずれかに埋設した第１、第２アンカープレートを連結する抗張部材とによって法面拘束アンカー補強土壁を構築し、第１、第２アンカープレート及び抗張部材を他の部材と連結する必要がなく、盛土の法面近傍と盛土の深部とに変形追従性に富んだ疑似的な壁面を形成している。
【００１３】
【実施例】
以下図面に基づいてこの発明の実施例を詳細に説明する。
【００１４】
図１及び図２はこの発明の実施例を示すものである。図１において、２は地盤、４は基礎、６は補強土、８は法面拘束アンカー補強土壁である。
【００１５】
また、補強土６は、地盤２の基礎４上に、丸鋼や鉄線により形成されるカゴ枠や蛇カゴ等からなるカゴ状法面部材１０を設置し、このカゴ状法面部材１０の内部と背面側とに、土砂や砕石、岩砕あるいは安定処理土等からなる盛土１２を投入転圧して第１の土壌層Ｌ１を施工し、この第１の土壌層Ｌ１上部に前記カゴ状法面部材１０を階段状に設置してカゴ状法面部材１０の内部と背面側とに盛土１２を投入転圧し、第２の土壌層Ｌ２以降を上方に向かって順次に積層して施工することにより前記補強土６を形成する。
【００１６】
このとき、前記カゴ状法面部材１０近傍且つ補強土６の所定の土壌層Ｌ間に法面１４に対して平行な第１アンカープレート１６を埋設するとともに、この第１アンカープレート１６に一端側を連結した抗張部材１８の他端側を前記補強土６の法面１４から離間する方向に展張し、抗張部材１８の他端側に第１アンカープレート１６に対して平行な第２アンカープレート２０を連結して埋設して第１、第２アンカープレート１６、２０及び抗張部材１８を他の部材と連結する必要のない構成とする。
【００１７】
そして、前記カゴ状法面部材１０と、このカゴ状法面部材１０近傍側に位置し前記補強土６の所定の土壌層Ｌ間のいずれかに埋設した第１アンカープレート１６と、前記補強土６の法面１４から離間する側に位置し前記補強土６の所定の土壌層Ｌ間のいずれかに埋設した第２アンカープレート２０と、補強土６の所定の土壌層Ｌ間のいずれかに埋設した第１、第２アンカープレート１６、２０を連結する抗張部材１８とによって前記法面拘束アンカー補強土壁８を構築する。
【００１８】
ここで、前記法面拘束アンカー補強土壁８の構築メカニズムに関して説明すると、図２に示す如く、土砂や砕石、岩砕あるいは安定処理土等からなる盛土１２に埋設される第１、第２アンカープレート１６、２０は、引き抜き抵抗による引き抜き力が作用することにより、周辺の土砂や砕石、岩砕あるいは安定処理土等からなる盛土１２にすべり線２２を生じさせる。
【００１９】
第１、第２アンカープレート１６、２０の引き抜き抵抗による引き抜き力、つまり引き抜き抵抗力は、前記すべり線２２の発達に伴って増大し、受動的に盛土１２の安定化に寄与する。
【００２０】
第１、第２アンカープレート１６、２０において、多数のアンカープレートを左右方向及び上下方向（図２参照）に隣接させて土砂や砕石、岩砕あるいは安定処理土等からなる盛土１２によって埋設すると、隣接するすべり線２２同士が重なり合い、擬似的な壁面である疑似壁面２４のように挙動する。
【００２１】
そして、変形追従性に富む疑似壁面２４は、土砂や砕石、岩砕あるいは安定処理土等からなる盛土１２に埋設された多数のアンカープレートの引き抜きによるすべり線２２が発達することにより、図２に示す如く、補強領域の前面部位と後端部位とに擬似的に形成されるものである。
【００２２】
次に作用を説明する。
【００２３】
前記法面拘束アンカー補強土壁８の構築に際しては、図１に示す如く、地盤２に基礎４を造成し、カゴ状法面部材１０を地盤２の基礎４上に水平方向に設置し、このカゴ状法面部材１０の内部と背面側とに盛土１２を投入転圧して第１の土壌層Ｌ１を施工する。
【００２４】
そして、前記カゴ状法面部材１０近傍且つ補強土６の第１の土壌層Ｌ１上に法面１４に対して平行な第１アンカープレート１６を設置するとともに、この第１アンカープレート１６に一端側を連結した抗張部材１８の他端側を前記補強土６の法面１４から離間する方向に展張し、抗張部材１８の他端側に第１アンカープレート１６に対して平行な第２アンカープレート２０を連結して設置する。
【００２５】
第１、第２アンカープレート１６、２０及び抗張部材１８の設置の後に、第１の土壌層Ｌ１の上部には、第１、第２アンカープレート１６、２０及び抗張部材１８を埋設するように第２の土壌層Ｌ２を施工する。
【００２６】
このとき、第２の土壌層Ｌ２は、第１の土壌層Ｌ１上部に、前記補強土６の法面１４から離間する方向に移動させて前記カゴ状法面部材１０を階段状に設置し、カゴ状法面部材１０の内部と背面側とに盛土１２を投入転圧して第２の土壌層Ｌ２を施工する。
【００２７】
以下同様に、第２の土壌層Ｌ２上に第３の土壌層Ｌ３以降を上方に向かって且つ階段状に順次に最上部の土壌層まで施工する。この実施例においては、図１に示す如く、第１の土壌層Ｌ１から計画盛土高である最上部の第１５の土壌層Ｌ１５まで順次に施工する。
【００２８】
そして、前記第１、第２アンカープレート１６、２０及び抗張部材１８は、補強土６の所定の土壌層Ｌ間のいずれか、例えば１土壌層おきに、つまり奇数土壌層と偶数土壌層との間に埋設されるとともに、前記第１、第２アンカープレート１６、２０及び抗張部材１８の設置の不要な場合には、前記カゴ状法面部材１０の上下接合部位にジオグリッド等の補助補強材（図示せず）を設置する。
【００２９】
なお、前記第１、第２アンカープレート１６、２０及び抗張部材１８の埋設状態は、１土壌層おきに限らず、設計計算及び土壌状態に応じて土壌層毎あるいは任意の土壌層間に埋設することができる。
【００３０】
これにより、前記カゴ状法面部材１０近傍、つまり法面１４近傍と抗張部材１８の他端側である盛土１２の深部とに、互いに抗張部材１８によって連結される前記第１、第２アンカープレート１６、２０を多数埋設することができ、以下の如き利点がある。
（１）第１、第２アンカープレート１６、２０及び抗張部材１８を他の部材と連結する必要がなく、盛土１２の法面１４近傍と盛土１２の深部とに、変形追従性に富んだ疑似的な壁面である疑似壁面２４を形成することができる。
（２）第１、第２アンカープレート１６、２０及び抗張部材１８を他の部材と連結する必要がないとともに、第１、第２アンカープレート１６、２０及び抗張部材１８を盛土１２中に埋設するのみであることにより、施工が容易である。
（３）盛土１２の法面１４は土で構築されることとなり、緑化植生が可能である。
【００３１】
【発明の効果】
以上詳細に説明した如くこの本発明によれば、カゴ状法面部材を地盤に設置し、カゴ状法面部材の内部と背面側とに盛土を投入転圧して第１の土壌層を施工し、第１の土壌層上部にカゴ状法面部材を階段状に設置してカゴ状法面部材の内部と背面側とに盛土を投入転圧することにより第２の土壌層以降を上方に向かって順次に施工して補強土を形成し、カゴ状法面部材近傍且つ補強土の所定の土壌層間に法面に対して平行な第１アンカープレートを埋設するとともに第１アンカープレートに一端側を連結した抗張部材の他端側を補強土の法面から離間する方向に展張し、抗張部材の他端側に第１アンカープレートに対して平行な第２アンカープレートを連結して埋設して第１、第２アンカープレート及び抗張部材を他の部材と連結する必要のない構成とし、カゴ状法面部材と、カゴ状法面部材近傍側に位置し補強土の所定の土壌層間のいずれかに埋設した第１アンカープレートと、補強土の法面から離間する側に位置し補強土の所定の土壌層間のいずれかに埋設した第２アンカープレートと、補強土の所定の土壌層間のいずれかに埋設した第１、第２アンカープレートを連結する抗張部材とによって法面拘束アンカー補強土壁を構築することにより、前記カゴ状法面部材近傍、つまり法面近傍と抗張部材の他端側である盛土の深部とに、互いに抗張部材によって連結される第１、第２アンカープレートを多数埋設することができ、第１、第２アンカープレート及び抗張部材を他の部材と連結する必要がなく、盛土の法面近傍と盛土の深部とに、変形追従性に富んだ疑似的な壁面である疑似壁面を形成することができる。また、第１、第２アンカープレート及び抗張部材を他の部材と連結する必要がないとともに、第１、第２アンカープレート及び抗張部材を盛土中に埋設するのみであることにより、施工が容易である。更に、盛土の法面は土で構築されることとなり、緑化植生が可能である。
【図面の簡単な説明】
【図１】  この発明の実施例を示す法面拘束アンカー補強土壁の構築状態の説明図である。
【図２】  法面拘束アンカー補強土壁の構築メカニズムの説明図である。
【図３】  この発明の第１の従来技術を示す鉄筋コンクリート製の壁材を使用した補強土壁の構築状態の説明図である。
【図４】  カゴ状法面部材の概略斜視図である。
【符号の説明】
２  地盤
４  基礎
６  補強土
８  法面拘束アンカー補強土壁
１０  カゴ状法面部材
１２  盛土
１４  法面
１６  第１アンカープレート
１８  抗張部材
２０  第２アンカープレート
Ｌ  土壌層
Ｌ１  第１の土壌層
Ｌ２  第２の土壌層
【図１】
0003865057.tif 000002
【図２】
0003865057.tif 000003
【図３】
0003865057.tif 000004
【図４】
0003865057.tif 000005